(57)【要約】【課題】ルームユニットを建築物の床スラブ上に複数設置する工法において、ルームユニットの設置高さ位置の調節を容易にして、短時間で効率的にルームユニットの設置を可能にする。【解決手段】床スラブに接する底板および該底板から立ち上がる第１側壁を有する基体と、該基体の上面を覆い、前記ルームユニットに接する天板および該天板から垂下し前記第１側壁に摺動可能に接する第２側壁を有する蓋体と、を備え、前記底板、前記第１側壁、前記第２側壁、前記天板によって内部空間が区画され、前記基体に対して前記蓋体を鉛直方向に沿った任意の高さ位置で固定することにより前記ルームユニットの設置高さを調整可能にする。【選択図】図１
2019082086.tif 000002
【特許請求の範囲】
【請求項１】
建築物の床スラブ上にルームユニットを設置する際に、前記床スラブに設置され、前記ルームユニットを受け止めるユニット支持脚であって、
前記床スラブに接する底板および該底板から立ち上がる第１側壁を有する基体と、該基体の上面を覆い、前記ルームユニットに接する天板および該天板から垂下し前記第１側壁に摺動可能に接する第２側壁を有する蓋体と、を備え、
前記底板、前記第１側壁、前記第２側壁、前記天板によって内部空間が区画され、
前記基体に対して前記蓋体を鉛直方向に沿った任意の高さ位置で固定することにより前記ルームユニットの設置高さを調整可能にすることを特徴とするルームユニット支持脚。
【請求項２】
前記第１側壁、前記第２側壁、前記天板のうち少なくとも１つには、前記内部空間に連通する貫通孔が形成されていることを特徴とする請求項１記載のルームユニット支持脚。
【請求項３】
前記底板と前記天板との間には、前記蓋体を任意の高さ位置で支持するバネ部材が配されていることを特徴とする請求項１または２記載のルームユニット支持脚。
【請求項４】
前記第１側壁、及び前記第２側壁は円周面を成し、前記円周面には、周回方向に沿ってネジ溝が形成されていることを特徴とする請求項１または２記載のルームユニット支持脚。
【請求項５】
前記天板には、前記蓋体の回転角度を示す角度目盛が設けられていることを特徴とする請求項１ないし４いずれか一項記載のルームユニット支持脚。
【請求項６】
前記第１側壁、前記第２側壁のうち、少なくともいずれか一方には、前記蓋体の高さ位置を示す高さ指標が形成されていることを特徴とする請求項１ないし５いずれか一項記載のルームユニット支持脚。
【請求項７】
前記底板には、前記基体を前記床スラブに締結させる締結部材を係合させる係合穴が設けられていることを特徴とする請求項１ないし６いずれか一項記載のルームユニット支持脚。
【請求項８】
前記底板、前記天板のうち、少なくともいずれか一方には、弾性層が更に形成されていることを特徴とする請求項１ないし７いずれか一項記載のルームユニット支持脚。
【請求項９】
請求項１ないし８いずれか一項記載のユニット支持脚と、前記内部空間に充填された硬化前の前記硬化性材料と、を有することを特徴とする硬化性材料充填ルームユニット支持脚。
【請求項１０】
請求項１ないし８いずれか一項記載のルームユニット支持脚を用いたルームユニットの設置高さ調整方法であって、
前記ルームユニット支持脚を前記床スラブに設置する設置工程と、
前記基体に対して前記蓋体を任意の高さ位置に方向に調整する調整工程と、
前記内部空間に硬化性材料を注入する注入工程と、を少なくとも有することを特徴とするルームユニットの設置高さ調整方法。
【請求項１１】
前記調整工程は、前記蓋体を回転させることにより行うことを特徴とする請求項１０記載のルームユニットの設置高さ調整方法。
【請求項１２】
前記調整工程は前記注入工程の一部であり、発泡性を有する前記硬化性材料を用いることを特徴とする請求項１０記載のルームユニットの設置高さ調整方法。
【請求項１３】
前記調整工程は前記注入工程の後工程であり、前記蓋体を任意の高さ位置まで押し込んで保持し、前記硬化性材料を硬化させることにより行うことを特徴とする請求項１０記載のルームユニットの設置高さ調整方法。
【請求項１４】
前記ルームユニット支持脚は前記床スラブ上に複数設置され、前記調整工程は、特定の前記ルームユニット支持脚の前記蓋体の高さ位置を調整した後、基準材を特定の前記ルームユニット支持脚を含む複数の前記ルームユニット支持脚上に架け渡し、前記基準材を基準面として、特定の前記ルームユニット支持脚の前記蓋体の高さ位置に合致するように、他の前記ルームユニット支持脚の前記蓋体の高さ位置の調整を行うことを特徴とする請求項１０記載のルームユニットの設置高さ調整方法。
【発明の詳細な説明】
【技術分野】
【０００１】
本発明は、屋内設備をユニット化したルームユニットを建築物の床スラブ上に設置する際に、ルームユニットの高さ位置を調節するためのルームユニット支持脚、硬化性材料充填ルームユニット支持脚、およびこれを用いたルームユニットの設置高さ調整方法に関する。
【背景技術】
【０００２】
従来、例えばマンションやホテルなどの建築物では、システムキッチン，トイレ，バスユニット，洗面化粧台，クローゼットなどの屋内設備を、それぞれ独立した部材として搬入して建築現場で組み立て、建物躯体に据え付けていた。しかし、このような屋内設備の構成部品を現場で組み立てて据え付ける工法では、人件費の増大による建設コストの上昇、工事期間の長期化、品質のバラツキ等、様々な課題が生じている。
【０００３】
上述した課題を解決する方法として、予め工場などで屋内設備などを組み込んだルームユニットを製造し、このルームユニットを建築物の床スラブ上に複数設置する工法が知られている（例えば、特許文献１を参照）。こうしたルームユニットを用いることにより、建築現場では、複数のルームユニットを設置して互いに連結し、必要に応じてルームユニットに電気配線や上下水道の配管を接続するだけで、短期間に屋内設備（内装）を完成させることができる。
【先行技術文献】
【特許文献】
【０００４】
【特許文献１】特開平８−３１２１６８号公報
【発明の概要】
【発明が解決しようとする課題】
【０００５】
しかしながら、上述したルームユニットを建築物の床スラブ上に複数設置する工法では、建築物の床スラブが必ずしも均一な水平面であるとは限らないため、隣接配置するルームユニットどうしの高さ位置を合致させて、ユニット床面どうしを段差なく接続するための高さ調節に多くの手間が掛かるという課題があった。
【０００６】
本発明は、このような事情を考慮してなされたものであり、ルームユニットを建築物の床スラブ上に複数設置する工法において、ルームユニットの設置高さ位置の調節を容易にして、短時間で効率的にルームユニットの設置を可能にするルームユニット支持脚、硬化性材料充填ルームユニット支持脚、およびこれらを用いたルームユニットの設置高さ調整方法を提供することを目的とする。
【課題を解決するための手段】
【０００７】
上記課題を解決するために、この発明は以下の手段を提案している。
即ち、本発明は、建築物の床スラブ上にルームユニットを設置する際に、前記床スラブに設置され、前記ルームユニットを受け止めるユニット支持脚であって、前記床スラブに接する底板および該底板から立ち上がる第１側壁を有する基体と、該基体の上面を覆い、前記ルームユニットに接する天板および該天板から垂下し前記第１側壁に摺動可能に接する第２側壁を有する蓋体と、を備え、前記底板、前記第１側壁、前記第２側壁、前記天板によって内部空間が区画され、前記基体に対して前記蓋体を鉛直方向に沿った任意の高さ位置で固定することにより前記ルームユニットの設置高さを調整可能にすることを特徴とする。
【０００８】
また、本発明では、前記第１側壁、前記第２側壁、前記天板のうち少なくとも１つには、前記内部空間に連通する貫通孔が形成されていることが好ましい。
【０００９】
また、本発明では、前記底板と前記天板との間には、前記蓋体を任意の高さ位置で支持するバネ部材が配されていることが好ましい。
【００１０】
また、本発明では、前記第１側壁、及び前記第２側壁は円周面を成し、前記円周面には、周回方向に沿ってネジ溝が形成されていることが好ましい。
【００１１】
また、本発明では、前記天板には、前記蓋体の回転角度を示す角度目盛が設けられていてもよい。
【００１２】
また、本発明では、前記第１側壁、前記第２側壁のうち、少なくともいずれか一方には、前記蓋体の高さ位置を示す高さ指標が形成されていることが好ましい。
【００１３】
また、本発明では、前記底板には、前記基体を前記床スラブに締結させる締結部材を係合させる係合穴が設けられていることが好ましい。
【００１４】
また、本発明では、前記底板、前記天板のうち、少なくともいずれか一方には、弾性層が更に形成されていることが好ましい。
【００１５】
本発明のルームユニットの設置高さ調整方法は、前記各項記載のルームユニット支持脚を用いたルームユニットの設置高さ調整方法であって、前記ルームユニット支持脚を前記床スラブに設置する設置工程と、前記基体に対して前記蓋体を任意の高さ位置に方向に調整する調整工程と、前記内部空間に硬化性材料を注入する注入工程と、を少なくとも有することを特徴とする。
【００１６】
また、本発明では、前記調整工程は、前記蓋体を回転させることにより行うことが好ましい。
【００１７】
また、本発明では、前記調整工程は前記注入工程の一部であり、発泡性を有する前記硬化性材料を用いることが好ましい。
【００１８】
また、本発明では、前記調整工程は前記注入工程の後工程であり、前記蓋体を任意の高さ位置まで押し込んで保持し、前記硬化性材料を硬化させることにより行うことが好ましい。
【００１９】
また、本発明では、前記ルームユニット支持脚は前記床スラブ上に複数設置され、前記調整工程は、特定の前記ルームユニット支持脚ユニット支持脚の前記蓋体の高さ位置を調整した後、基準材を特定の前記ルームユニット支持脚を含む複数の前記ルームユニット支持脚上に架け渡し、前記基準材を基準面として、特定の前記ルームユニット支持脚の前記蓋体の高さ位置に合致するように、他の前記ルームユニット支持脚の前記蓋体の高さ位置の調整を行うことが好ましい。
【発明の効果】
【００２０】
本発明によれば、ルームユニットを建築物の床スラブ上に複数設置する工法において、ルームユニットの設置高さ位置の調節を容易にして、短時間で効率的にルームユニットの設置を可能にするルームユニット支持脚、硬化性材料充填ユニット支持脚、およびこれらを用いたルームユニットの設置高さ調整方法を提供することが可能になる。
【図面の簡単な説明】
【００２１】
【図１】本発明のルームユニット支持脚とこれに支持されたルームユニットとを示す斜視図である。
【図２】本発明の第１実施形態のルームユニット支持脚を示す外観斜視図である。
【図３】図２に示すルームユニット支持脚の高さ方向に沿った断面図である。
【図４】本発明の第２実施形態のルームユニット支持脚を示す断面図である。
【図５】本発明の第３実施形態のルームユニット支持脚を示す外観斜視図である。
【図６】図５に示すルームユニット支持脚の高さ方向に沿った断面図である。
【図７】本発明の第４実施形態のルームユニット支持脚を示す断面図である。
【図８】本発明の他の実施形態のルームユニット支持脚を示す外観斜視図である。
【図９】本発明の第１実施形態のルームユニットの設置高さ調整方法を段階的に示した説明図である。
【図１０】本発明の第１実施形態のルームユニットの設置高さ調整方法を段階的に示した説明図である。
【図１１】本発明の第２実施形態のルームユニットの設置高さ調整方法を段階的に示した説明図である。
【図１２】本発明の第２実施形態のルームユニットの設置高さ調整方法を段階的に示した説明図である。
【図１３】第３実施形態のルームユニットの設置高さ調整方法を段階的に示した断面図である。
【図１４】第４実施形態のルームユニットの設置高さ調整方法を段階的に示した平面図である。
【発明を実施するための形態】
【００２２】
以下、図面を参照して、本発明の一実施形態のルームユニット支持脚、硬化性材料充填ルームユニット支持脚、およびこれを用いたルームユニットの設置高さ調整方法について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００２３】
（ルームユニット支持脚：第１実施形態）  
図１は、本発明のルームユニット支持脚とこれに支持されたルームユニットとを示す斜視図である。
本実施形態のルームユニット支持脚１０は、建築物の床スラブＳ上に予め設定された支持脚設置位置に設置され、例えばルームユニットＵの下側梁ＵＢに接して、床スラブＳから所定の高さ位置でルームユニットＵを支持する。こうしたルームユニット支持脚１０の下側梁ＵＢに沿って所定の間隔をあけて複数個配置され、複数個のルームユニット支持脚１０，１０…によってルームユニットＵを支持する。例えば、１つの重量が３トン〜５トン程度のルームユニットＵを、１２個〜１５個のルームユニット支持脚１０によって支持する。
【００２４】
図２は、本発明の第１実施形態のルームユニット支持脚を示す外観斜視図である。図３は、図２に示すルームユニット支持脚の高さ方向に沿った断面図である。
ルームユニット支持脚１０は、外形形状が略円筒形を成し、上面１１ｔが例えば開放面を成す基体１１と、基体１１の上面（開放面）１１ｔを覆う蓋体２１とを有する。基体１１は、使用時において床スラブＳに接する底板１２と、この底板１２から立ち上がり、所定の領域、本実施形態では円柱状の空間を区画する円筒形の第１側壁１３とを備えている。なお、この底板１２と第１側壁１３とは、同一の材料、例えば硬質樹脂で一体に形成されていればよい。
【００２５】
底板１２の第１側壁１３よりも外側には、複数の係合穴１４が形成されている。こうした係合穴１４に、底板１２と床スラブＳとを結合させる締結部材Ｇ、例えばコンクリート釘やネジを貫通させることで、基体１１を床スラブＳに締結させることができる。なお、こうした係合穴１４を特に設けずに、両面テープなどでルームユニット支持脚１０を床スラブＳに固定することもできる。
【００２６】
基体１１の第１側壁１３の内周面（円周面）１３ａには、内周面１３ａの周回方向に沿って螺旋状に内ネジ（ネジ溝）１６が形成されている。こうした内ネジ（ネジ溝）１６は、本実施形態のように内周面１３ａ全体に形成されている以外にも、例えば、上面１１ｔから底板１２に向かって所定の範囲まで形成されていてもよい。
【００２７】
蓋体２１は、基体１１の開放面である上面１１ｔを覆う天板２２と、この天板２２から垂下し、基体１１の第１側壁１３の内周面１３ａに対して摺動可能に接する円筒形の第２側壁２３とを備えている。なお、この天板２２と第２側壁２３とは、同一の材料、例えば硬質樹脂で一体に形成されていればよい。
【００２８】
天板２２は、例えば円板状の部材であり、使用時において、上面２２ａがルームユニットＵの下側梁ＵＢ（図１参照）に接する。天板２２には、上面２２ａと、蓋体２１の内面を成す下面２２ｂとの間を貫通し、後述する内部空間Ｅに連通する貫通孔を成す注入孔（貫通孔）２４と空気孔（貫通孔）２５とが形成されている。本実施形態では、注入孔２４は、天板２２の中心に１箇所形成され、また空気孔２５は、天板２２の周縁の近くに等間隔で４箇所形成されている。なお、本実施形態では、貫通孔として注入孔２４と空気孔２５とを形成しているが、これらを兼用した径の大きい貫通孔とすることもできる。
【００２９】
蓋体２１を構成する天板２２に形成された注入孔（貫通孔）２４は、基体１１の底板１２および第１側壁１３と、蓋体２１の天板２２および第２側壁２３とで区画されるルームユニット支持脚１０の内部空間Ｅに硬化性材料Ｂを充填するための穴である。また、空気孔（貫通孔）２５は、内部空間Ｅに硬化性材料Ｂを充填する際に、内部空間Ｅの空気をルームユニット支持脚１０の外部に出すための穴である。なお、こうした注入孔２４や空気孔２５の形成数や形成位置は本実施形態に限らず、任意の位置に任意の数だけ形成することができる。
【００３０】
蓋体２１の第２側壁２３の外周面（円周面）２３ｂには、外周面２３ｂの周回方向に沿って螺旋状に外ネジ（ネジ溝）２６が形成されている。こうした外ネジ（ネジ溝）２６は、基体１１の第１側壁１３に形成された内ネジ（ネジ溝）１６と螺合する。これにより、例えば、床スラブＳに固定された基体１１に対して、蓋体２１を回転させることにより、天板２２の高さ位置、即ち、ルームユニット支持脚１０の高さを自在に可変させることができる。これにより、ルームユニット支持脚１０を介して設置されるルームユニットＵの床スラブＳからの設置高さを自在に変えることが可能になる。
【００３１】
なお、ルームユニット支持脚１０は、使用時において、蓋体２１を回転させて高さ位置を調節した後、注入孔２４から内部空間Ｅ内を埋める（閉塞する）ように、硬化前の流動性の硬化性材料Ｂが充填され、その後、硬化される。こうした硬化性材料Ｂを内部空間Ｅ内に充填、および硬化させることで、ルームユニット支持脚１０の強度が保たれ、かつ、蓋体２１の回動を防止する。硬化性材料Ｂとしては、例えば、２液混合によって硬化する硬化剤や、熱や紫外線を加えることによって硬化する硬化剤など、各種の硬化剤が適用可能であり、限定されるものでは無い。
【００３２】
以上のような構成のルームユニット支持脚１０は、基体１１に対して蓋体２１を鉛直方向に沿った任意の高さ位置で固定することによりルームユニットＵの設置高さを調整可能にする。即ち、蓋体２１を回転させてルームユニット支持脚１０の高さをルームユニットＵの設置高さに合わせた後、注入孔２４から流動性の硬化性材料Ｂを充填して硬化させるだけで、ルームユニットＵの設置高さ位置を容易に所望の位置にすることが可能になる。これによって、ルームユニットＵの設置高さ位置の調整が容易になり、床スラブＳ上に、互いの設置高さ位置が揃った複数のルームユニットＵを短時間で効率的に設置することが可能になる。
【００３３】
（ルームユニット支持脚：第２実施形態）  
図４は、本発明の第２実施形態のルームユニット支持脚を示す断面図である。なお、前述した第１実施形態と同様の構成には同一の番号を付し、その詳細な説明は省略する。
本実施形態のルームユニット支持脚３０は、底板１２および第１側壁１３を備えた基体１１と、天板２２および第２側壁２３を備えた蓋体２１と、を有する。そして、本実施形態では、基体１１の第１側壁１３の外周面（円周面）１３ｂに、外周面１３ｂの周回方向に沿って螺旋状に外ネジ（ネジ溝）３６が形成されている。また、蓋体２１の内周面（円周面）２１ａには、内周面２１ａの周回方向に沿って螺旋状に内ネジ（ネジ溝）３７が形成されている。
【００３４】
このように、本実施形態では、第１実施形態のルームユニット支持脚とは逆に、基体１１の第１側壁１３の外側に、蓋体２１の第２側壁２３が覆い被さる形状とされている。こうした第２実施形態３０であっても、蓋体２１を回転させてルームユニット支持脚１０の高さをルームユニットＵの設置高さに合わせた後、注入孔（貫通孔）２４から流動性の硬化性材料Ｂを充填して硬化させるだけで、ルームユニットＵの設置高さ位置を容易に所望の位置にすることが可能になる。
【００３５】
（ルームユニット支持脚：第３実施形態）  
図５は、本発明の第３実施形態のルームユニット支持脚を示す外観斜視図である。また、図６は、図５に示すルームユニット支持脚の高さ方向に沿った断面図である。なお、前述した第１実施形態と同様の構成には同一の番号を付し、その詳細な説明は省略する。
本実施形態のルームユニット支持脚４０は、外形形状が略円筒形を成し、上面４１ｔが開放面を成す基体４１と、基体４１の上面（開放面）４１ｔを覆う蓋体５１とを有する。基体４１は、使用時において床スラブＳに接する底板４２と、この底板４２から立ち上がり、所定の領域、本実施形態では円柱状の空間を区画する円筒形の第１側壁４３とを備えている。なお、この底板４２と第１側壁４３とは、同一の材料、例えば硬質樹脂で一体に形成されていればよい。
【００３６】
蓋体５１は、基体４１の開放面である上面４１ｔを覆う天板５２と、この天板５２から垂下し、基体４１の第１側壁４３の内周面１３ａに対して摺動可能に接する円筒形の第２側壁５３とを備えている。なお、この天板５２と第２側壁５３とは、同一の材料、例えば硬質樹脂で一体に形成されていればよい。
【００３７】
天板５２は、例えば円板状の部材であり、使用時において、上面５２ａがルームユニットＵの下側梁ＵＢ（図１参照）に接する。天板５２には、上面５２ａと、蓋体５１の内面を成す下面５２ｂとの間を貫通し、内部空間Ｅに連通する貫通孔を成す注入孔（貫通孔）２４と空気孔（貫通孔）２５とが形成されている。
【００３８】
基体４１の底板４２および第１側壁４３と、蓋体５１の天板５２および第２側壁５３とで区画されるルームユニット支持脚４０の内部空間Ｅには、蓋体５１を任意の高さ位置で支持するバネ部材５５が配されている。即ち、このバネ部材５５は、底板４２と天板５２との間に形成され、その付勢力によって、底板４２に対して蓋体５１を任意の位置に浮かせた状態にすることができる。バネ部材５５は、本実施形態での内部空間Ｅの形状に合わせた円筒形を成す圧縮コイルバネであればよい。本実施形態のルームユニット支持脚４０は、バネ部材５５の付勢力に抗して蓋体５１を基体４１の底板４２に向けて押し下げることによって、蓋体５１の高さ位置を変えることができる。
【００３９】
本実施形態のルームユニット支持脚４０を使用する際には、蓋体５１の注入孔２４から内部空間Ｅ内を埋めるように、硬化前の流動性の硬化性材料Ｂを充填する。次に、バネ部材５５の付勢力に抗して蓋体５１を基体４１の底板４２に向けて押し下げ、蓋体５１の高さ位置を所望の位置に調節する。この時、内部空間Ｅが押し縮められるため、余分な硬化性材料Ｂは注入孔２４や空気孔２５から外部に押し出されるので、拭き取るなどの処置をすればよい。
【００４０】
そして、蓋体５１の高さ位置を所望の位置に調節した状態で蓋体５１を保持し、硬化性材料Ｂを硬化させる。これによって、バネ部材５５も硬化性材料Ｂによって固定されて伸張が阻止され、蓋体５１が所望の高さ位置で固定される。このように、本実施形態のルームユニット支持脚４０でも、蓋体５１を所望の高さ位置まで押し込んで、予め充填した硬化性材料Ｂを硬化させるだけで、ルームユニットＵの設置高さ位置を容易に所望の位置にすることが可能になる。
【００４１】
また、本実施形態のルームユニット支持脚４０では、ルームユニットＵを設置した後に硬化性材料Ｂを注入することもできる。この場合、ルームユニット支持脚４０のバネ部材５５の伸張力によって蓋体５１がルームユニットＵに当接した位置で保持されるため、高さ調整を自動で行うことができる。
【００４２】
（ルームユニット支持脚：第４実施形態）  
図７は、本発明の第４実施形態のルームユニット支持脚を示す断面図である。なお、前述した第３実施形態と同様の構成には同一の番号を付し、その詳細な説明は省略する。
ルームユニット支持脚６０は、底板６２および第１側壁６３を備えた基体６１と、天板７２および第２側壁７３を備えた蓋体７１と、を有する。
【００４３】
そして、本実施形態における底板６２や天板７２は四角形板状を成し、また、第１側壁６３や第２側壁７３は四角筒状に形成されている。また、直方体状の内部空間Ｅ内にはバネ部材（図示略）が収容されている。本実施形態では、バネ部材は、直方体状の内部空間Ｅに合わせた矩形の圧縮コイルバネや、直方体状の内部空間Ｅの四隅に配した円筒形の圧縮コイルバネであればよい。
【００４４】
このように、本実施形態では、ルームユニット支持脚６０の外形形状を略直方体形状にすることで、ルームユニットＵ（図１参照）に対する接触面積を大きくして、より安定してルームユニットＵを支持することが可能なルームユニット支持脚６０を実現できる。
【００４５】
（ルームユニット支持脚：他の実施形態）  
図８（ａ）は、本発明の他の実施形態のルームユニット支持脚を示す外観斜視図である。本実施形態は、図２、図３に示す第１実施形態のルームユニット支持脚１０を構成する蓋体２１の天板２２の上面２２ａに、蓋体２１の回転角度を示す角度目盛２９を更に設けたものである。この実施形態において、蓋体２１の回転角度と蓋体２１の上下動幅との関係が予め分かっていれば、角度目盛２９を確認しながら蓋体２１を所定の角度だけ回動させることで、容易に蓋体２１を所望の高さ位置に調整することができる。よって、ルームユニット支持脚１０の高さを測りながら蓋体２１を回転させて蓋体２１を所望の高さ位置に調整するといった煩雑な作業を簡略化することができる。
【００４６】
より具体的には、蓋体２１の回転角度と、蓋体２１の上下量との関係を予め設定する。例えば、蓋体２１を１回転（３６０°）させると、蓋体２１が１０ｍｍ上昇するなどを把握することによって、蓋体２１を２．５ｍｍ上昇させたいときには、角度目盛２９を確認しながら蓋体２１を９０°回転させることにより、蓋体２１を正確に２．５ｍｍ上昇させることができる。
【００４７】
図８（ｂ）は、本発明の他の実施形態のルームユニット支持脚を示す外観斜視図である。本実施形態は、図５、図６に示す第３実施形態のルームユニット支持脚４０を構成する蓋体５１の第２側壁５３の外周面５３ａに、蓋体５１の高さを示す高さ指標５９を設けたものである。こうした実施形態では、ルームユニット支持脚４０の高さを定規などを用いて測りながら蓋体５１の高さを調整しなくても、高さ指標５９を確認しながら蓋体５１の高さを調節するだけで、容易に蓋体５１を所望の高さ位置に調節することができる。
【００４８】
これ以外にも、例えば、図１、図２に示すルームユニット支持脚１０の底板１２や天板２２の外側に重ねて、更に弾性層を形成することも好ましい。こうした弾性層としては、例えば、ゴムシート、樹脂粘着テープなどが挙げられる。弾性層としてゴムシートを、例えばルームユニット支持脚１０の底板１２と、床スラブＳとの間に設けることで、床スラブＳの表面の微細な凹凸をゴムシートの弾性により吸収して、ルームユニット支持脚１０を水平に設置することができる。
【００４９】
また、弾性層として樹脂粘着テープを、例えばルームユニット支持脚１０の底板１２と、床スラブＳとの間に設けることで、ルームユニット支持脚１０を床スラブＳ上に固定して設置位置ズレを防止することができる。
【００５０】
また、弾性層としてゴムシートを、例えばルームユニット支持脚１０の天板２２とルームユニットＵの下側梁ＵＢとの間に設けることで、床スラブＳからルームユニット支持脚１０を介してルームユニットＵに伝搬する振動などを軽減することができる。
【００５１】
また、注入孔２４を蓋体５１に設けたルームユニット支持脚４０を例示しているが、これ以外にも、例えば、注入孔を第１側壁や第２側壁に形成したルームユニット支持脚を用いて、側面（円周面）から硬化性材料を充填する構成であってもよい。
【００５２】
（硬化性材料充填ルームユニット支持脚）  
上述した各実施形態のルームユニット支持脚の内部空間Ｅ内に、予め硬化性材料を充填しておくことにより、硬化性材料充填ルームユニット支持脚を実現できる。硬化性材料充填ルームユニット支持脚は、硬化性材料として、例えば２液混合硬化性材料を用い、内部空間Ｅ内に予め２液混合硬化性材料のうちの基剤を充填した状態で提供される。この時、２液混合硬化性材料のうちの硬化剤は別途添付される。そして、硬化性材料充填ルームユニット支持脚の使用現場において、ルームユニット支持脚の高さ位置を調整した後、基剤が充填されている内部空間Ｅ内に硬化剤を注入して硬化性材料を硬化させる。これにより、ルームユニットを所望の高さ位置で支持することができる。
また、ルームユニット支持脚の内部空間Ｅ内に、外部から除去可能な樹脂フィルムなどの隔壁を介して２液混合硬化性材料の基剤と硬化剤の両方を充填しておき、ルームユニット支持脚の高さ位置を調整した後、この隔壁を外部から引き抜くなどすることによって、硬化性材料を硬化させる構成にすることもできる。
【００５３】
（ルームユニットの設置高さ調整方法：調整方法例１）
上述した第１実施形態のルームユニット支持脚１０を用いた、本発明の第１実施形態におけるルームユニットの設置高さ調整方法について説明する。
図９、図１０は、本発明の第１実施形態のルームユニットの設置高さ調整方法を段階的に示した説明図である。
まず、図９（ａ）に示すように、建築物の床スラブＳにおけるルームユニットを設置する領域に、所定の間隔で第１実施形態に示したルームユニット支持脚１０を設置する（設置工程）。この時、床スラブＳにルームユニット支持脚の設置位置を予めマーカーなどで示しておくことが好ましい。
【００５４】
この後、設置したルームユニット支持脚１０の底板１２の周縁に形成された係合穴１４に締結部材Ｇを貫通させて、ルームユニット支持脚１０を床スラブＳに締結させておくことも好ましい。
【００５５】
次に、図９（ｂ）に示すように、床スラブＳに設置したルームユニット支持脚１０の高さ調整を行う（調整工程）。ルームユニット支持脚１０の高さ調整にあたっては、例えば、床スラブＳからルームユニット支持脚１０の天板２２の上面２２ａまでの高さ（設置高さ）を定規Ｋなどによって測定しつつ、ルームユニット支持脚１０の蓋体５１を回転させて、設置高さが予め設定した高さになるように、蓋体５１の高さを調節することによって行う。
【００５６】
こうした調整工程を設置した全てのルームユニット支持脚１０に対して行うことによって、例えば、床スラブＳの表面に傾斜や凹凸が存在して完全な水平面でない場合でも、複数のルームユニット支持脚１０の天板２２の上面２２ａどうしを結んだルームユニットの設置面を正確な水平面にすることができる。
【００５７】
なお、上述した調整工程において、例えば、図８（ａ）に示したような、蓋体２１の天板２２の上面２２ａに角度目盛２９を設けたルームユニット支持脚１０を用いれば、調整工程を容易にすることができる。即ち、角度目盛２９を確認しながら蓋体２１を所定の角度だけ回動させることで、容易に蓋体２１の高さの変化を把握できるので、ルームユニット支持脚１０の側方に定規を当てて高さ変化を確認しつつ蓋体２１を回転させるといった手間の掛かる作業を簡略化することができる。
【００５８】
調整工程において全てのルームユニット支持脚１０の高さ調整が完了したら、次に、図９（ｃ）に示すように、ルームユニット支持脚１０の内部空間Ｅ内に硬化性材料Ｂを注入する（注入工程）。この注入工程では、蓋体２１が回転しないように注意しつつ、高さ調整済みのルームユニット支持脚１０の蓋体２１に形成された注入孔（貫通孔）２４から、例えば、２液混合硬化タイプの硬化性材料Ｂを注入し、空気孔（貫通孔）２５から内部空間Ｅ内の空気を排出させて、内部空間Ｅ内を硬化性材料Ｂで置換する。そして、所定の硬化時間以上保持して、内部空間Ｅ内の硬化性材料Ｂを硬化させる（図１０（ａ）参照）。
【００５９】
硬化性材料Ｂの硬化によって、蓋体２１が基体１１に対して固着され、かつ、硬化した硬化性材料Ｂによってルームユニット支持脚１０の内部空間Ｅ内が埋められるため、ルームユニット支持脚１０の天板２２の上面２２ａに加わる荷重に対する耐荷重性が大きく高められる。
【００６０】
この後、図１０（ｂ）に示すように、工場などで別途制作していたルームユニットＵを建築物内に運び込み、複数のルームユニット支持脚１０によって支持されるように床スラブＳ上に載置する。こうして設置されたルームユニットＵは、床スラブＳ上に所定の高さになるように調節された複数のルームユニット支持脚１０によって支持されるため、床スラブＳの表面に傾斜や凹凸が存在していても、ルームユニットＵを水平を保って設置することが可能になる。そして、複数のルームユニットＵどうしは、床面の連結部分に段差などが生じることなく、高さ位置が正確に合致した状態で接続することができる。
【００６１】
（ルームユニットの設置高さ調整方法：調整方法例２）
上述した第３実施形態のルームユニット支持脚４０を用いた、本発明の第２実施形態におけるルームユニットの設置高さ調整方法について説明する。
図１１、図１２は、本発明の第２実施形態のルームユニットの設置高さ調整方法を段階的に示した説明図である。
【００６２】
まず、図１１（ａ）に示すように、建築物の床スラブＳにおけるルームユニットを設置する領域に、所定の間隔で第１実施形態に示したルームユニット支持脚４０を設置する（設置工程）。この時、床スラブＳにルームユニット支持脚の設置位置を予めマーカーなどで示しておくことが好ましい。また、底板１２の周縁に形成された係合穴１４に締結部材Ｇを貫通させて、ルームユニット支持脚１０を床スラブＳに締結させておくことも好ましい。
【００６３】
次に、図１１（ｂ）に示すように、ルームユニット支持脚４０の内部空間Ｅ内に硬化性材料Ｂを注入する（注入工程）。この注入工程では、高さ調整前のルームユニット支持脚４０の蓋体５１に形成された注入孔２４から、例えば、２液混合硬化タイプの硬化性材料Ｂを注入し、空気孔２５から内部空間Ｅ内の空気を排出させて、内部空間Ｅ内を硬化性材料Ｂで置換する。
【００６４】
次に、図１１（ｃ）に示すように、注入した硬化性材料Ｂが硬化する前に、床スラブＳに設置したルームユニット支持脚４０の高さ調整を行う（調整工程）。ルームユニット支持脚４０の高さ調整にあたっては、例えば、床スラブＳからルームユニット支持脚４０の天板５２の上面５２ａまでの高さ（設置高さ）を定規Ｋなどによって測定しつつ、ルームユニット支持脚４０の蓋体５１を、内部空間Ｅ内に設けられているバネ部材５５の付勢力に抗して基体４１の底板４２に向けて押し下げることによって、蓋体５１の高さ位置を変える。この時、ルームユニット支持脚４０の内部空間Ｅが押し縮められるため、余分な硬化性材料Ｂは注入孔２４や空気孔２５から外部に押し出されるので、拭き取るなどの処置をすればよい。
【００６５】
そして、図１２（ａ）に示すように、ルームユニット支持脚４０の蓋体５１の高さ位置を調節した状態で蓋体５１を保持し、硬化性材料Ｂを硬化させる。例えば、ルームユニット支持脚４０の蓋体５１に板材（基準材）などを載置して蓋体５１の高さ位置を固定して、硬化性材料Ｂが硬化するまで静置するなどの方法を用いればよい。
【００６６】
硬化性材料Ｂの硬化によって、蓋体５１が基体４１に対して固着され、また、硬化した硬化性材料Ｂによってルームユニット支持脚４０の内部空間Ｅ内が埋められるため、ルームユニット支持脚４０の天板５２の上面５２ａに加わる荷重に対する耐荷重性が大きく高められる。
【００６７】
この後、図１２（ｂ）に示すように、工場などで別途制作していたルームユニットＵを建築物内に運び込み、複数のルームユニット支持脚４０によって支持されるように床スラブＳ上に載置する。こうして設置されたルームユニットＵは、床スラブＳ上に所定の高さになるように調節された複数のルームユニット支持脚４０によって支持されるため、床スラブＳの表面に傾斜や凹凸が存在していても、ルームユニットＵを水平を保って設置することが可能になる。そして、複数のルームユニットＵどうしは、床面の連結部分に段差などが生じることなく、高さ位置が正確に合致した状態で接続することができる。
【００６８】
（ルームユニットの設置高さ調整方法：調整方法例３）
図１３は、第３実施形態のルームユニットの設置高さ調整方法を段階的に示した断面図である。
第３実施形態のルームユニットの設置高さ調整方法では、図１３（ａ）に示すような、蓋体９１が基体８１に対して摺動可能に接しているルームユニット支持脚８０を用いる。このルームユニット支持脚８０は、基体８１の第１側壁８３と蓋体９１の第２側壁９３とがネジ溝などを介さずに円周面どうしが摺動可能に軽く接触するように形成されており、使用前の状態では、蓋体９１が基体８１の底板８２に向けて一番下まで下がった状態にされている。
【００６９】
このようなルームユニット支持脚８０を建築物の床スラブＳにおけるルームユニットを設置する領域に設置する（設置工程）。この時、床スラブＳにルームユニット支持脚の設置位置を予めマーカーなどで示しておくことが好ましい。また、底板８２の周縁に形成された係合穴１４に締結部材Ｇを貫通させて、ルームユニット支持脚８０を床スラブＳに締結させておくことも好ましい。
【００７０】
次に、図１３（ｂ）に示すように、注入孔２４からルームユニット支持脚８０の内部空間Ｅ内に発泡性を有する硬化性材料Ｂｅを注入する（注入工程）。この発泡性を有する硬化性材料Ｂｅは、注入して所定時間が経過する間に成分の一部が気化して発泡し、その体積が所定割合で増加した後に硬化する性質を備えている。
【００７１】
次に、図１３（ｃ）に示すように、注入した発泡性を有する硬化性材料Ｂｅが発泡硬化する前に、ルームユニットＵ（基準材）をクレーンなどで吊下した状態で設置高さ位置にする。そして、注入した硬化性材料Ｂｅが発泡すると、体積の増加によって内部空間Ｅが押し広げられ、蓋体９１を構成する天板９２の上面９２ａがルームユニットＵ（基準材）の底部に接する位置まで蓋体９１が上昇する（調整工程）。
【００７２】
この後、図１３（ｄ）に示すように、硬化性材料Ｂｅの硬化によって、蓋体９１が基体８１に対して固着され、かつ、発泡硬化した硬化性材料Ｂｅによってルームユニット支持脚８０の内部空間Ｅ内が埋められるため、ルームユニットＵの吊下を外せば、ルームユニットＵ（基準材）は、床スラブＳ上に所定の高さになるように調節された複数のルームユニット支持脚８０によって支持されるため、床スラブＳの表面に傾斜や凹凸が存在していても、ルームユニットＵを水平を保って設置することが可能になる。
【００７３】
また、この実施形態では、予め所定の高さ位置で水平に吊下したルームユニットＵの底部に向けて硬化性材料Ｂｅを発泡させて蓋体９１の高さ位置を自動的に調整させるため、定規などを用いて蓋体の高さ位置を測定しつつ、蓋体の高さ位置を調整するなどの手間が無く、注入工程と調整工程とを一体にして調整工程を簡略化することができる。
【００７４】
また、本実施形態のように、ルームユニットＵを複数のルームユニット支持脚８０の基準材として用いる場合に、硬化済みの硬化性材料によって正確に高さ位置が決定されたルームユニット支持脚（特定のルームユニット支持脚）８０の間に、未硬化の硬化性材料が内部空間に充填され、かつ天板９２が高さ方向に一定高さまで上げたルームユニット支持脚８０を配置し、この上からルームユニットＵを設置することで、未硬化の硬化性材料が内部空間に充填されたルームユニット支持脚８０の高さ位置を一括して調節することもできる。
【００７５】
高さ方向に一定高さまで上げたルームユニット支持脚８０にルームユニットＵを設置すると、ルームユニットＵは、硬化済みの硬化性材料によって高さ位置が決定されたルームユニット支持脚８０の高さ位置まで降下するとともに、未硬化の硬化性材料がルームユニット支持脚８０から排出され、未硬化の硬化性材料が内部空間に充填されたルームユニット支持脚８０の高さ位置が一括して調節される。
【００７６】
（ルームユニットの設置高さ調整方法：調整方法例４）
図１４は、第４実施形態のルームユニットの設置高さ調整方法を段階的に示した平面図である。なお、この図１４においては、紙面奥行き方向にも複数のルームユニット支持脚が配置されている。即ち、床スラブ面に沿った互いに直角を成す２方向にそれぞれ広がるように、規則的にルームユニット支持脚を配列させた場合を想定する。
【００７７】
第４実施形態のルームユニットの設置高さ調整方法では、第１実施形態のルームユニットの設置高さ調整方法において、複数のルームユニット支持脚１０，１０…どうしの効率的な高さ調整（調整工程）を説明する。
まず、図１４（ａ）に示すように、複数のルームユニット支持脚１０，１０…を床スラブＳに配列設置する。この時、複数のルームユニット支持脚１０，１０…は、蓋体２１の高さ位置を予め設定した高さ位置よりも低い位置にしておく。次に、図１４（ｂ）に示すように、硬化性材料が注入された複数のルームユニット支持脚１０，１０…のうち、例えば、四隅のルームユニット支持脚（特定のルームユニット支持脚）１０Ｃ，１０Ｃの蓋体２１の高さ位置を定規などで測定しつつ回転させて、設定した高さ位置に調整する。
【００７８】
次に、図１４（ｃ）に示すように、この高さ位置を調整済みの四隅のルームユニット支持脚１０Ｃ，１０Ｃに支持されるように、例えば、基準材である平板の板材Ｐを架け渡す。
次に、図１４（ｄ）に示すように、高さ位置を調整済みの四隅のルームユニット支持脚１０Ｃ，１０Ｃ以外のルームユニット支持脚１０Ｅ，１０Ｅ…について、蓋体２１の天板２２の上面２２ａが、架け渡した板材Ｐの底面Ｐａに接する位置まで蓋体２１を回転させる。
【００７９】
このように、予め高さ調整を行ったルームユニット支持脚１０Ｃ，１０Ｃに架け渡した平板（基準材）の板材Ｐの底面Ｐａを水平な基準面として、この基準面に合致する位置まで、他のルームユニット支持脚１０Ｅ，１０Ｅ…の蓋体２１の高さ位置の調節を行うことにより、個々のルームユニット支持脚１０のそれぞれについて定規などで測定しながら蓋体２１の高さ調節を行う場合と比較して、短時間で効率的に多数のルームユニット支持脚１０の高さ位置を特定の水平面Ｆに合わせた位置に調整を行うことが可能になる（図１４（ｅ）参照）。
【００８０】
本実施形態では、基準材として平板を用い、高さ位置が固定されたルームユニット支持脚に合わせて、高さ位置が未固定のルームユニット支持脚をネジの回転によって調整しているが、これ以外にも、例えば、バネを内蔵したルームユニット支持脚を用いて、バネの反発力によって基準材として架け渡した平板の位置まで、ルームユニット支持脚の天板を持ち上げてから硬化性材料を注入することにより、複数のルームユニット支持脚の高さ位置を容易に合わせることもできる。
また、これとは逆に、基準材である平板を用いて、バネを内蔵した複数のルームユニット支持脚の天板を押し下げて、複数のルームユニット支持脚の高さ位置を一括して調整することもできる。
【００８１】
また、例えば、発泡性の硬化性材料を内部空間に充填したルームユニット支持脚を用いて、硬化性材料の発泡によって基準材として架け渡した平板の位置まで、ルームユニット支持脚の天板を持ち上げて硬化させることにより、複数のルームユニット支持脚の高さ位置を容易に合わせることもできる。
【００８２】
また、基準材としては、平板以外にも、予めボルト、スペーサーなどで高さ位置が調整されたルームフユニット自体でもよく、複数のルームユニット支持脚の高さ位置を一括して位置合わせ可能なものであれば、どのような部材であってもよく、限定されるものでは無い。
【００８３】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８４】
１０…ルームユニット支持脚
１１…基体
１２…底板
１３…第１側壁
２１…蓋体
２２…天板
２３…第２側壁
２４…注入孔（貫通孔）
２５…空気孔（貫通孔）
Ｅ…内部空間
【図１】
2019082086.tif 000003
【図２】
2019082086.tif 000004
【図３】
2019082086.tif 000005
【図４】
2019082086.tif 000006
【図５】
2019082086.tif 000007
【図６】
2019082086.tif 000008
【図７】
2019082086.tif 000009
【図８】
2019082086.tif 000010
【図９】
2019082086.tif 000011
【図１０】
2019082086.tif 000012
【図１１】
2019082086.tif 000013
【図１２】
2019082086.tif 000014
【図１３】
2019082086.tif 000015
【図１４】
2019082086.tif 000016